(57)【特許請求の範囲】
【請求項１】
金網と、この金網に編み込まれた索条体とを備え、
上記金網が、一方向に向いジグザグ状に屈曲しながら延びてこの一方向に対する直交方向で互いに並設される複数本の針金材を有し、上記直交方向で互いに隣り合う両針金材の屈曲部同士を互いに係合させて上記金網を構成した法面成形用網体において、
互いに係合した上記両屈曲部の間を通って上記索条体が延びるようにすると共に、上記両屈曲部の間における上記索条体の各部分が、上記両屈曲部で挟み付けられて加圧収縮させられた状態で上記網体に連結されるようにし、
上記索条体を保水性かつ高吸水性とした法面成形用網体。
【請求項２】
上記複数の針金材を互いに別体として、これら針金材と、上記索条体とを上記直交方向で互いに相対移動可能とした請求項１に記載の法面成形用網体。
【発明の詳細な説明】
【０００１】
【発明が属する技術分野】
本発明は、金網と索条体との組み合せに係る法面成形用網体に関するものである。
【０００２】
【従来の技術】
【０００３】
【特許文献１】
特開２００２−２１０８７公報
【０００４】
上記網体には、第１の従来の技術として、金網で構成されたものがある。
【０００５】
また、第２の従来の技術として、上記特許文献１で示されるものがあり、これによれば、上記網体は保水性繊維で成形された縦紐と横紐とを編むことにより構成されている。
【０００６】
上記第１、第２の従来の技術における網体を用いて法面を成形するに際しては、まず、法面を成形しようとする斜面に上記網体を敷設し、この網体に向って客土を種子と共に吹き付ける。すると、上記網体により、客土がその吹き付け位置に保持されて所定形状の法面が成形される。その後、この客土とこの客土に吸水された水とにより、種子の発芽と生長とが促進され、もって、上記法面はこの法面に繁茂する植物により長期にわたり所定形状のままに保持される。
【０００７】
また、特に、上記第２の従来の技術によれば、上記網体は保水性繊維を有しているため、雨天時などにこの繊維に吸水されて保水された水により、種子の発芽と生長とがより促進されることとされている。
【０００８】
【発明が解決しようとする課題】
ところで、上記第１の従来の技術における金網製の網体は、客土をその位置に保持させる上で、十分の強度を有しているが、保水性に欠け、水枯れとなりがちであるため、客土中の種子の発芽と生長とが不十分となるおそれがある。
【０００９】
また、上記第２の従来の技術によれば、網体の保水性により、法面における植物の繁茂はより確実に得られるが、客土をその位置に保持させる上での強度が不足しがちである。
【００１０】
そこで、上記第１、第２の従来の技術の各網体を互いに結合させて、それぞれの作用を相互補完させることが考えられるが、単に、このようにすると、上記両網体の存在に加えて、これら両網体の結合に別途の結合部材が必要になるなど構成が極めて複雑になり、また、上記両網体の結合作業のために、目的の網体の成形作業が極めて煩雑になるという問題点が生じる。
【００１１】
本発明は、上記のような事情に注目してなされたもので、法面を長期にわたり所定形状に保持させることができ、かつ、構成が簡単で、成形が容易な法面成形用網体の提供を課題とする。
【００１２】
【課題を解決するための手段】
上記課題を解決するための本発明の法面成形用網体は、次の如くである。なお、この項において各用語に付記した符号は、本発明の技術的範囲を後述の「発明の実施の形態」の項の内容に限定解釈するものではない。
【００１３】
請求項１の発明は、金網３と、この金網３に編み込まれた索条体４とを備え、
【００１４】
上記金網３が、一方向Ｘに向いジグザグ状に屈曲しながら延びてこの一方向Ｘに対する直交方向Ｙで互いに並設される複数本の針金材８を有し、上記直交方向Ｙで互いに隣り合う両針金材８，８の屈曲部１０，１０同士を互いに係合させて上記金網３を構成した法面成形用網体において、
【００１５】
互いに係合した上記両屈曲部１０，１０の間を通って上記索条体４が延びるようにすると共に、上記両屈曲部１０，１０の間における上記索条体４の各部分が、上記両屈曲部１０，１０で挟み付けられて加圧収縮させられた状態で上記網体２に連結されるようにし、
【００１６】
上記索条体４を保水性かつ高吸水性としたものである。
【００１７】
請求項２の発明は、請求項１の発明に加えて、上記複数の針金材８，８を互いに別体として、これら針金材８，８と、上記索条体４とを上記直交方向Ｙで互いに相対移動可能としたものである。
【００１８】
【発明の実施の形態】
以下、本発明の実施の形態を図面により説明する。
【００１９】
図２において、符号１は山や土手における法面で、この法面１を所定形状に成形可能にさせると共に、この所定形状を長期的に保持可能とさせる法面成形用網体２が設けられている。
【００２０】
図１，３において、上記網体２は、その主体である金網３と、この金網３に編み込まれてこの金網３に連結される索条体４とを備え、この索条体４は、上記金網３の各網目５のほぼ中央部を横切ると共に、これら各網目５毎にその両端部が上記金網３に連結されている。
【００２１】
上記金網３は、菱形金網であって、一方向Ｘに向いジグザグ状に屈曲しながら延びてこの一方向Ｘに対する直交方向Ｙで互いに並設される複数本の針金材８を有し、この針金材８は一方向Ｘに対し傾斜した方向に直線的に延びる直線部９と、この直線部９の延出端に成形される屈曲部１０とを互いに一体的に繰り返し備え、上記金網３は、上記直交方向Ｙで互いに隣り合う両針金材８，８の各屈曲部１０，１０同士を互いに交差状に係合させることにより構成され、上記屈曲部１０の各ピッチは互いに同寸法で各針金材８，８は互いに同形同大とされている。
【００２２】
上記索条体４は紐状体であって、上記一方向Ｘに向い直線的に延びて直交方向Ｙで複数本が互いに並設され、これら各索条体４は互いに別体とされている。
【００２３】
上記各索条体４は、上記したように互いに係合した上記両屈曲部１０，１０の間を通って上記一方向Ｘに直線的に延び、上記両屈曲部１０，１０の間における上記索条体４の各部分は、上記両屈曲部１０，１０に挟み付けられ、この挟み付けにより加圧収縮させられた状態で上記網体２に強固に連結されている。
【００２４】
特に、図４，５において、上記直交方向Ｙで隣り合う各針金材８は互いに別体とされており、これら針金材８と、索条体４とは図４，５で示すように上記直交方向Ｙで互いに相対移動可能とされている。これら針金材８と索条体４とが互いに接近する相対移動で、上記両屈曲部１０，１０による上記索条体４の挟み付けは自動的に解除されると共に、これら各針金材８と索条体４は互いに積み重ねられてコンパクトな形状にさせられる。
【００２５】
上記各針金材８は、上記一方向Ｘに向っていずれも同じ旋回方向の螺旋を描くよう屈曲されており、このため、図４，５で示すように、上記各針金材８を互いに接近するよう相対移動させると、上記一方向Ｘに沿った視線で見て（図５）、上記両屈曲部１０，１０の間には空間１２が成形され、これら各空間１２は一方向Ｘに向って直線状に列設されることとなる。
【００２６】
全図において、上記索条体４は、図例では紐状体であって、その材質は保水性繊維で成形されている。より具体的には、上記索条体４は、ポリアクリル酸ナトリウム塩を主成分とするポリマーを原料とする繊維により成形されており、その吸水性能は自重の約８０倍など、高吸水性とされている。上記索条体４は未吸水状態で、十分の強度（１００〜１５０Ｎ／Ｙａｒｎ）を有するが、十分の吸水後には、強度を喪失して分解するものである。
【００２７】
上記網体２の成形に際しては、通常の金網成形機により、上記金網３の直交方向Ｙの一端部側から各針金材８を順次エンドレスに成形するが、上記成形機で成形されて順次繰り出されてくる針金材８，８同士は図４，５のように、直交方向Ｙで互いに接近するよう相対移動させられた状態となっていて、上記各空間１２が一方向Ｘに向って列設されている。そこで、上記各空間１２にそれぞれ上記索条体４がシャトル機構などにより挿通され、上記各空間１２と索条体４とは互いに積み重ねられた積み重ね構造のコンパクトな形状とさせられる。
【００２８】
図２，３において、上記網体２を用いて法面１を所望形状に成形する場合には、まず、この法面１を成形しようとする斜面１４に対し上記網体２の各索条体４と針金材８が水平方向に延びるよう上記網体２を張設し、この網体２を斜面１４に対し杭で固定する。
【００２９】
上記の場合、網体２は上記した積み重ね構造のコンパクトな形状とされるため、第１の工法として、まず、上記斜面１４の上側に上記網体２の直交方向Ｙの一端部である上端部を杭で固定し、次に、上記網体２をクレーンなどで上記斜面１４に沿って下降させて網体２を展開させ、図３のような本来の形状にさせる。すると、上記斜面１４への網体２の張設ができる。また、第２の工法として、まず、斜面１４の下側に上記網体２の直交方向Ｙの一端部である下端部を杭で固定し、次に、上記網体２をクレーンなどで上記斜面１４に沿って上昇させて網体２を展開させ、図３のような本来の形状にさせる。すると、上記斜面１４への網体２の張設ができる。この網体２の張設時、上記コンパクトな形状の網体２において、直交方向Ｙで互いに隣り合う針金材８，８同士は上記展開に伴い互いに相対的に離反して、上記各屈曲部１０，１０間に上記索条体４を挟み付け、この索条体４を網体２に連結させる。
【００３０】
次に、上記のように張設した網体２に対しその外方から客土１６を種子と共に吹き付ける。すると、上記網体２の金網３と索条体４とにより、客土１６がその吹き付け位置に保持されて所定形状の法面１が成形される。その後、この客土１６と、この客土１６および上記索条体４に吸水されて保水されていた水とにより、上記種子や自然の種子の発芽と生長とが促進され、もって、上記法面１はこの法面１に繁茂する植物によって、長期にわたり所定形状のままに保持される。上記索条体４は、これが十分に吸水したときには分解し、法面１における土の一部となって、その後も保水機能を発揮し、新たな公害の発生は防止される。
【００３１】
上記構成によれば、網体２は金網３と、この金網３に編み込まれた索条体４とを備えている。
【００３２】
このため、法面１を成形しようとして、山などの斜面１４に上記網体２を敷設し、この網体２に客土１６を吹き付けた場合には、上記網体２における金網３と索条体４とは協同して上記客土１６をその吹き付け位置に保持し、よって、上記法面１は長期にわたり所定形状に保持される。
【００３３】
そして、上記網体２は、金網３に索条体４を編み込んだものであって、金網３への索条体４の結合のための別途の結合部材は不要であり、その分、上記網体２の構成を簡単にできると共に、この網体２の成形が容易にできる。
【００３４】
上記索条体４は、上記金網３の各網目５のほぼ中央部を横切ると共に、これら各網目５毎でその両端部が上記金網３に連結されている。
【００３５】
このため、上記のように両端部が金網３に連結された索条体４によれば、索条体４が単に各網目５を縫うようにして上記金網３に連結されている場合に比べ、上記各網目５に入り込んだ客土１６をその吹き付け位置に、より確実に保持させることができ、よって、上記法面１は、より長期にわたり所定形状に保持される。
【００３６】
また、前記したように、金網３が、一方向Ｘに向いジグザグ状に屈曲しながら延びてこの一方向Ｘに対する直交方向Ｙで互いに並設される複数本の針金材８を有し、上記直交方向Ｙで互いに隣り合う両針金材８，８の屈曲部１０，１０同士を互いに係合させて上記金網３を構成した法面成形用網体において、互いに係合した上記両屈曲部１０，１０の間を通って上記索条体４が延びるようにしてある。
【００３７】
ここで、上記したように互いに係合した両屈曲部１０，１０の間を通って上記索条体４が延びるようにすると、この索条体４は、上記金網３の各網目５のほぼ中央部を横切ると共に、これら各網目５毎でその両端部が上記両屈曲部１０，１０で挟み付けられて上記金網３に連結されることとなる。
【００３８】
このため、上記網体２の索条体４によれば、上記各網目５に入り込んだ客土１６をその吹き付け位置に、より確実に保持させることができ、よって、上記法面１は、より長期にわたり所定形状に保持される。
【００３９】
そして、上記金網３が有する本来の形状を有効に利用して、この金網３に上記索条体４を連結させたため、上記網体２の構成はより簡単になる。
【００４０】
また、前記したように、複数の針金材８，８を互いに別体として、これら針金材８，８と、上記索条体４とを上記直交方向Ｙで互いに相対移動可能としてある。
【００４１】
このため、直交方向Ｙで隣り合う両針金材８，８を互いに接近するよう相対移動させれば、これら両針金材８，８の両屈曲部１０，１０間に空間１２が成形されることから、上記金網３に索条体４を編み込む場合には、単に、上記空間１２に上記索条体４を挿通させ、その後、上記両針金材８，８を互いに離反するよう相対移動させて、これら両針金材８，８の屈曲部１０，１０間に上記索条体４を挟み付けさせればよい。よって、金網３への索条体４の編み込みは容易にでき、つまり、網体２の成形が容易にできる。
【００４２】
また、上記各針金材８と索条体４とを直交方向Ｙで互いに接近するよう相対移動させれば、上記網体２をコンパクトな形状にできるため、この網体２の搬送や斜面１４への張設時の作業が容易にでき、つまり、法面１の成形が容易にできる。
【００４３】
また、上記直交方向Ｙで隣り合う各索条体４，４を互いに別体としてある。
【００４４】
このため、上記網体２を展開させる場合など、各針金材８と索条体４とを直交方向Ｙで互いに相対移動させるとき、隣り合う両索条体４，４同士が互いに干渉し合うということが防止されて、上記網体２の展開が容易にでき、よって、法面１の成形が容易にできる。
【００４５】
また、前記したように、上記索条体４を保水性としてある。
【００４６】
このため、上記網体２により法面１を成形したとき、上記索条体４に保水されていた水により、種子の発芽と生長とが促進され、もって、法面１はこの法面１に繁茂する植物によって、長期にわたり所定形状のままに保持される。
【００４７】
なお、以上は図示の例によるが、上記金網３の針金材８の各端部は互いに結合してこれら針金材８を相対移動不能としてもよい。また、上記索条体４は、法面１の成形後に保水により分解することがなく永続的に残留する材質のものであってもよく、補強材を備えてもよい。また、この索条体４はロープやベルト状のものであってもよい。また、索条体４は、隣り合う両針金材８，８間に必ずしも設ける必要はなく、針金材８の複数本毎に設けてもよい。また、各索条体４を一本の索条体を屈曲させて一体成形してもよい。また、上記各針金材８と索条体４とが斜面１４の傾斜方向に延びるよう上記網体２を張設してもよく、針金材８と索条体４とは直交してもよい。
【００４８】
【発明の効果】
本発明による効果は、次の如くである。
【００４９】
請求項１の発明は、金網と、この金網に編み込まれた索条体とを備えている。
【００５０】
このため、法面を成形しようとして、山などの斜面に上記網体を敷設し、この網体に客土を吹き付けた場合には、上記網体における金網と索条体とは協同して上記客土をその吹き付け位置に保持し、よって、上記法面は長期にわたり所定形状に保持される。
【００５１】
そして、上記網体は、金網に索条体を編み込んだものであって、金網への索条体の結合のための別途の結合部材は不要であり、その分、上記網体の構成を簡単にできると共に、この網体の成形が容易にできる。
【００５２】
また、上記金網が、一方向に向いジグザグ状に屈曲しながら延びてこの一方向に対する直交方向で互いに並設される複数本の針金材を有し、上記直交方向で互いに隣り合う両針金材の屈曲部同士を互いに係合させて上記金網を構成した法面成形用網体において、
【００５３】
互いに係合した上記両屈曲部の間を通って上記索条体が延びるようにすると共に、上記両屈曲部の間における上記索条体の各部分が、上記両屈曲部で挟み付けられて加圧収縮させられた状態で上記網体に連結されるようにしてある。
【００５４】
ここで、上記したように互いに係合した両屈曲部の間を通って上記索条体が延びるようにすると、この索条体は、上記金網の各網目のほぼ中央部を横切ると共に、これら各網目毎でその両端部が上記両屈曲部で挟み付けられて上記金網に連結されることとなる。
【００５５】
このため、上記網体の索条体によれば、上記各網目に入り込んだ客土をその吹き付け位置に、より確実に保持させることができ、よって、上記法面は、より長期にわたり所定形状に保持される。
【００５６】
そして、上記金網が有する本来の形状を有効に利用して、この金網に上記索条体を連結させたため、上記網体の構成はより簡単になる。
【００５７】
また、上記索条体を保水性かつ高吸水性としてある。
【００５８】
このため、上記網体により法面を成形したとき、上記索条体に保水されていた水により、種子の発芽と生長とが促進され、もって、法面はこの法面に繁茂する植物によって、長期にわたり所定形状のままに保持される。
【００５９】
請求項２の発明は、上記複数の針金材を互いに別体として、これら針金材と、上記索条体とを上記直交方向Ｙで互いに相対移動可能としてある。
【００６０】
このため、直交方向で隣り合う両針金材を互いに接近するよう相対移動させれば、これら両針金材の両屈曲部間に空間が成形されることから、上記金網に索条体を編み込む場合には、単に、上記空間に上記索条体を挿通させ、その後、上記両針金材を互いに離反するよう相対移動させて、これら両針金材の屈曲部間に上記索条体を挟み付けさせればよい。よって、金網への索条体の編み込みは容易にでき、つまり、網体の成形が容易にできる。
【００６１】
また、上記各針金材と索条体とを直交方向で互いに接近するよう相対移動させれば、上記網体をコンパクトな形状にできるため、この網体の搬送や斜面への張設時の作業が容易にでき、つまり、法面の成形が容易にできる。
【図面の簡単な説明】
【図１】  図３の部分拡大図である。
【図２】  法面の部分断面図である。
【図３】  網体の平面図である。
【図４】  図１で示したものの作用説明図である。
【図５】  図４の５‐５線矢視図である。
【符号の説明】
１      法面
２      網体
３      金網
４      索条体
５      網目
８      針金材
９      直線部
１０    屈曲部
１２    空間
１４    斜面
１６    客土
Ｘ      一方向
Ｙ      直交方向
【図１】
0003720332.tif 000002
【図２】
0003720332.tif 000003
【図３】
0003720332.tif 000004
【図４】
0003720332.tif 000005
【図５】
0003720332.tif 000006